(57)【要約】凹溝（４）が設けられたベッド体と凹溝（４）内に設けられた車椅子とを含む介護ベッド。前記車椅子は、車椅子支持フレーム（２）と、二重牽引昇降調節装置（２１）と、二重牽引昇降調節装置（２１）と、ロック機構（２２）と、第１牽引機構と、第２牽引機構とを含み、車椅子支持フレーム（２）には、順に車椅子背板（１）、座板（３）、足板（５）及び踏板（６）が設けられ、座板（３）が車椅子支持フレーム（２）上に固定され、二重牽引昇降調節装置（２１）は、車椅子背板（１）と座板（３）とを接続する箇所の下方に設けられ、ロック機構（２２）は、二重牽引昇降調節装置（２１）上に設けられ、二重牽引昇降調節装置（２１）をロックし、第１牽引機構は、ロック機構（２２）に接続され、車椅子がベッド体から離間した場合、車椅子背板（１）の昇降を制御し、第２牽引機構は、ロック機構（２２）に接続され、車椅子とベッド体とが併合した場合、車椅子背板（１）とベッド体背板が同時に昇降できるようにロック機構（２２）のロックを解除する一方、車椅子が前記ベッド体から離間した場合、車椅子背板（１）の昇降が第１牽引機構により制御されるようにロック機構（２２）をロックさせる。【選択図】図１
2020527430.tif 000002
【特許請求の範囲】
【請求項１】
ベッド体と、車椅子とを含む介護ベッドであって、
前記ベッド体に凹溝が設けられており、
前記車椅子は、前記凹溝内に設けられ、車椅子支持フレームと、二重牽引昇降調節装置と、ロック機構と、第１牽引機構と、第１牽引機構と、第２牽引機構とを含み、
前記車椅子支持フレームには、順に車椅子背板、座板、足板及び踏板が設けられ、前記座板が前記車椅子支持フレームに固定され、
前記二重牽引昇降調節装置は、前記車椅子背板と前記座板とを接続する箇所の下方に設けられ、
前記ロック機構は、前記二重牽引昇降調節装置上に設けられ、前記二重牽引昇降調節装置をロックし、
前記第１牽引機構は、前記ロック機構に接続され、前記車椅子が前記ベッド体から離間した場合、前記車椅子背板の昇降を制御し、
前記第２牽引機構は、前記ロック機構に接続され、前記車椅子と前記ベッド体が併合した場合、前記車椅子背板とベッド体背板が同時に昇降できるように前記ロック機構のロックを解除する一方、前記車椅子が前記ベッド体から離間した場合、前記車椅子背板の昇降が前記第１牽引機構により制御されるように前記ロック機構をロックさせることを特徴とする、介護ベッド。
【請求項２】
スライドリンクとロック・解放ピンとをさらに含み、
前記スライドリンクは、それぞれ前記車椅子背板、車椅子足昇降支持フレームに接続され、前記車椅子足昇降支持フレームが前記足板及び前記踏板の昇降を制御し、
前記ロック・解放ピンは、前記スライドリンクに設けられ、前記車椅子が前記ベッド体から離間した場合、前記車椅子背板が前記足板、前記踏板と連動できるように前記スライドリンクをロックすることを特徴とする、請求項１に記載の介護ベッド。
【請求項３】
車椅子足昇降駆動機構をさらに含み、
前記車椅子足昇降駆動機構は、前記座板下に設けられ、前記スライドリンクに接続され、前記車椅子が車椅子、寝椅子又はフラットベッドの間を切り替えるように前記スライドリンクを制御することを特徴とする、請求項２に記載の介護ベッド。
【請求項４】
前記第２牽引機構は、レバーを含み、
前記レバーは、前端が前記ロック機構に接触し、後端がベッド体支持フレーム上に設けられた階段にマッチし、
前記車椅子と前記ベッド体とが併合した場合、前記レバーの後端が前記階段上に置かれることで前記ロック機構のロックを解除する一方、前記車椅子が前記ベッド体から離間した場合、前記レバーの後端が前記階段上から落下し、前記ロック機構をロックさせることを特徴とする、請求項１に記載の介護ベッド。
【請求項５】
前記階段は、摺動可能な階段であり、前記第２牽引機構は、柔軟ワイヤをさらに含み、前記柔軟ワイヤは、前記摺動可能な階段に接続され、前記摺動可能な階段を摺動するように牽引することを特徴とする、請求項４に記載の介護ベッド。
【請求項６】
前記第２牽引機構は、第２ブレーキケーブルとてことを含み、
前記てこは、前記第２ブレーキケーブルに接続され、前記てこの支点が前記車椅子支持フレームの後部に設けられ、
前記車椅子と前記ベッド体とを併合させるときに、前記てこの一端が前記ベッド体支持フレームの押力を受けて回転することで、前記第２牽引機構が緊張して前記ロック機構のロックを解除することを特徴とする、請求項１に記載の介護ベッド。
【請求項７】
前記第２牽引機構は、第２ブレーキケーブルとスライダーとを含み、
前記スライダーは、前記第２ブレーキケーブルに接続され、前記車椅子支持フレームの後部に固定されたスライド溝内に位置し、
前記車椅子と前記ベッド体とを併合させるときに、前記スライダーは前記ベッド体支持フレームの押力を受けて摺動することで、前記第２牽引機構が緊張して前記ロック機構のロックを解除することを特徴とする、請求項１に記載の介護ベッド。
【請求項８】
ブラケットと、ホールドフックと、連動ロッドと、差し込みピンと、傾斜ブロックと、横軸と、弾性係止部と、剛性連結ロッドと、手回しハンドルと、手回しロッドと、をさらに含み、
前記ブラケットは、前記座板の前部下方に設けられ、前記車椅子支持フレームにヒンジ接続され、
前記ホールドフックは、前記ブラケットの前部に設けられ、前記踏板の下方まで延伸し、前記踏板の回転角度を制御し、
前記連動ロッドは、前記ブラケットの後部に接続され、
前記差し込みピンは、ベッドの末端に設けられ、
前記傾斜ブロックは、車椅子後脚の外側に設けられ、幅が前記ベッド体の長さ方向に沿って広くなり、
前記横軸は、ベッド体支持フレーム上に設けられ、前記ベッド体支持フレームにより支持され、前記ベッド体支持フレームの幅方向と同じであり、
前記弾性係止部は、前記横軸に平行であり、
前記剛性連結ロッドは、それぞれ前記弾性係止部の後端及び前記横軸に接続され、
前記手回しハンドルは、前記横軸上に設けられ、
前記手回しロッドは、前記横軸上に設けられ、
前記車椅子と前記ベッド体とが併合した場合、前記弾性係止部と前記傾斜ブロックが互いに係止されることで、前記車椅子と前記ベッド体が接合する一方、前記車椅子を前記ベッド体から離間させるときに、前記弾性係止部が回転して前記傾斜ブロックから脱離するように前記手回しハンドルを回転させ、前記車椅子がベッドの末端方向へ移動するように前記手回しロッドを回転させる。ことを特徴とする、請求項１に記載の介護ベッド。
【発明の詳細な説明】
【技術分野】
【０００１】
本発明は、介護ベッドに関する。
【背景技術】
【０００２】
介護ベッドから失能患者を車椅子に転移することは、非常に困難である。多くの寝たきり患者又は失能者にとって、ベッドから車椅子に移転されることが非常に重要である。これは、患者に便利さや快適さを提供するだけでなく、体の回復にも役に立つ。そのため、車椅子とベッドの組み合わせ製品が開発された。このような製品は、ベッドの一部を車椅子に変換可能であるとともに、車椅子がベッドでの寝返りやシャワーなどの機能と併用することができる。電気パターの制御システムにより車椅子と床の離間を達成できるが、制御システムのプログラムが複雑で、電気パターが順に動作するのに時間がかかり過ぎ、製造コストが高く、介護者が操作プロセスを把握しにくいなどの問題がある。
【発明の概要】
【０００３】
少なくとも１つの上記問題を解決するために、本発明は、ベッド体と、車椅子とを含む介護ベッドであって、前記ベッド体に凹溝が設けられており、前記車椅子は、前記凹溝内に設けられ、車椅子支持フレームと、二重牽引昇降調節装置と、ロック機構と、第１牽引機構と、第１牽引機構と、第２牽引機構とを含み、前記車椅子支持フレームには、順に車椅子背板、座板、足板及び踏板が設けられ、前記座板が前記車椅子支持フレームに固定され、前記二重牽引昇降調節装置は、前記車椅子背板と前記座板とを接続する箇所の下方に設けられ、前記ロック機構は、前記二重牽引昇降調節装置上に設けられ、前記二重牽引昇降調節装置をロックし、前記第１牽引機構は、前記ロック機構に接続され、前記車椅子が前記ベッド体から離間した場合、前記車椅子背板の昇降を制御し、前記第２牽引機構は、前記ロック機構に接続され、前記車椅子と前記ベッド体が併合した場合、前記車椅子背板とベッド体背板が同時に昇降できるように前記ロック機構のロックを解除する一方、前記車椅子が前記ベッド体から離間した場合、前記車椅子背板の昇降が前記第１牽引機構により制御されるように前記ロック機構をロックさせる介護ベッドを提供する。
【０００４】
本発明の少なくとも１つの実施形態によれば、本発明の介護ベッドは、スライドリンクとロック・解放ピンとをさらに含み、前記スライドリンクは、それぞれ前記車椅子背板、車椅子足昇降支持フレームに接続され、前記車椅子足昇降支持フレームが前記足板及び前記踏板の昇降を制御し、前記ロック・解放ピンは、前記スライドリンクに設けられ、前記車椅子が前記ベッド体から離間した場合、前記車椅子背板が前記足板、前記踏板と連動できるように前記スライドリンクをロックする。
【０００５】
本発明の別の実施形態によれな、介護ベッドは、車椅子足昇降駆動機構をさらに含み、前記車椅子足昇降駆動機構は、前記座板下に設けられ、前記スライドリンクに接続され、前記車椅子が車椅子、寝椅子又はフラットベッドの間を切り替えるように前記スライドリンクを制御する。
【０００６】
本発明の別の実施形態によれば、前記第２牽引機構は、レバーを含み、前記レバーは、前端が前記ロック機構に接触し、後端がベッド体支持フレーム上に設けられた階段にマッチし、前記車椅子と前記ベッド体とが併合した場合、前記レバーの後端が前記階段上に置かれることで前記ロック機構のロックを解除する一方、前記車椅子が前記ベッド体から離間した場合、前記レバーの後端が前記階段上から落下し、前記ロック機構をロックさせる。
【０００７】
本発明の別の実施形態によれば、前記レバーの後端は、弾性復帰可能な一方向湾曲管である。
【０００８】
本発明の別の実施形態によれば、前記階段は、摺動可能な階段又は固定階段である。
【０００９】
本発明の別の実施形態によれば、前記第２牽引機構は、柔軟ワイヤをさらに含み、前記柔軟ワイヤは、前記摺動可能な階段に接続され、前記摺動可能な階段を摺動するように牽引する。
【００１０】
本発明の別の実施形態によれば、前記第２牽引機構は、第２ブレーキケーブルとてことを含み、前記てこは、前記第２ブレーキケーブルに接続され、前記てこの支点が前記車椅子支持フレームの後部に設けられ、前記車椅子と前記ベッド体とを併合させるときに、前記てこの一端が前記ベッド体支持フレームの押力を受けて回転することで、前記第２牽引機構が緊張して前記ロック機構のロックを解除する。
【００１１】
本発明の別の実施形態によれば、前記第２牽引機構は、第２ブレーキケーブルとスライダーとを含み、前記スライダーは、前記第２ブレーキケーブルに接続され、前記車椅子支持フレームの後部に固定されたスライド溝内に位置し、前記車椅子と前記ベッド体とを併合させるときに、前記スライダーは前記ベッド体支持フレームの押力を受けて摺動することで、前記第２牽引機構が緊張して前記ロック機構のロックを解除する。
【００１２】
本発明の別の実施形態によれば、介護ベッドは、ブラケットと、ホールドフックと、連動ロッドと、差し込みピンと、傾斜ブロックと、横軸と、弾性係止部と、剛性連結ロッドと、手回しハンドルと、手回しロッドと、をさらに含み、前記ブラケットは、前記座板の前部下方に設けられ、前記車椅子支持フレームにヒンジ接続され、前記ホールドフックは、前記ブラケットの前部に設けられ、前記踏板の下方まで延伸し、前記踏板の回転角度を制御し、前記連動ロッドは、前記ブラケットの後部に接続され、前記差し込みピンは、ベッドの末端に設けられ、前記傾斜ブロックは、車椅子後脚の外側に設けられ、幅が前記ベッド体の長さ方向に沿って広くなり、前記横軸は、ベッド体支持フレーム上に設けられ、前記ベッド体支持フレームにより支持され、前記ベッド体支持フレームの幅方向と同じであり、前記弾性係止部は、前記横軸に平行であり、前記剛性連結ロッドは、それぞれ前記弾性係止部の後端及び前記横軸に接続され、前記手回しハンドルは、前記横軸上に設けられ、前記手回しロッドは、前記横軸上に設けられ、前記車椅子と前記ベッド体とが併合した場合、前記弾性係止部と前記傾斜ブロックが互いに係止されることで、前記車椅子と前記ベッド体が接合する一方、前記車椅子を前記ベッド体から離間させるときに、前記弾性係止部が回転して前記傾斜ブロックから脱離するように前記手回しハンドルを回転させ、前記車椅子がベッドの末端方向へ移動するように前記手回しロッドを回転させる。
【図面の簡単な説明】
【００１３】
図面には、本発明の例示的な実施形態が示され、その説明と共に本発明の原理の説明に用いられる。これらの図面は、本発明をさらに理解するためのものであり、本明細書に含められて本明細書の一部を構成する。
【図１】本発明の少なくとも１つの実施形態に係る介護ベッドの構造模式図である。
【図２】本発明の少なくとも１つの実施形態に係るレバーが設けられた二重牽引昇降調節装置の構造模式図である。
【図３】本発明の少なくとも１つの実施形態に係るレバーとベッド体支持フレームに設けられた階段とが連結したベッド・車椅子結合模式図である。
【図４】本発明の少なくとも１つの実施形態に係る第２牽引機構のてこの接続模式図である。
【図５】本発明の少なくとも１つの実施形態に係る第２牽引機構のスライダーの接続模式図である。
【図６】本発明の少なくとも１つの実施形態に係る二重制御ブレーキケーブルの二重牽引昇降調節装置の構造模式図である。
【図７】本発明の少なくとも１つの実施形態に係るスライドリンクの接続模式図である。
【図８】本発明の少なくとも１つの実施形態に係る車椅子足昇降駆動機構の接続模式図である。
【図９】本発明の少なくとも１つの実施形態に係る車椅子の構造模式図である。
【図１０】本発明の少なくとも１つの実施形態に係る快速ロック・解放機構の構造模式図である。
【発明を実施するための形態】
【００１４】
以下、図面及び実施形態により本発明をさらに詳しく説明する。ここで記載されている具体的な実施形態は、関連内容を解釈するものに過ぎず、本発明を制限するものではないことが理解されるべきである。なお、説明の便宜上、本発明に関連する部分のみが図面に示されている。
【００１５】
なお、矛盾がない限り、本発明の実施形態と実施形態の特徴とを互いに組み合わせることができる。以下、図面及び実施形態により本発明を詳しく説明する。
【００１６】
本発明の少なくとも１つの実施形態において、本発明は、介護ベッドを提供する。図１に示すように、上記介護ベッドは、凹溝４が設けられたベッド体と、凹溝４内に設けられた車椅子とを含む。この車椅子は、順に車椅子背板１、座板３、足板５及び踏板６が設けられた車椅子支持フレーム２を含み、座板３が車椅子支持フレーム２に固定される。
【００１７】
図２及び３に示すように、本発明が提供する介護ベッドは、二重牽引昇降調節装置２１と、ロック機構２２と、第１牽引機構と、第２牽引機構とをさらに含む。二重牽引昇降調節装置２１は、車椅子背板１と座板３とを接続する箇所の下方に設けられる。ロック機構２２は、二重牽引昇降調節装置２１に設けられ、二重牽引昇降調節装置２１をロックする。第１牽引機構は、ロック機構２２に接続され、車椅子がベッド体から離間した場合、車椅子背板１の昇降を制御し、第１ブレーキケーブル２４及び手動制御牽引ハンドル２９を含んでもよく、この手動制御牽引ハンドル２９がブレーキハンドルであってもよい。第２牽引機構は、ロック機構２２に接続され、車椅子とベッド体とが併合した場合、車椅子背板１とベッド体背板が同時に昇降できるようにロック機構２２のロックを解除する一方、車椅子がベッド体から離間した場合、車椅子背板１の昇降が第１牽引機構により制御されるようにロック機構２２をロックさせる。
【００１８】
具体的には、車椅子とベッド体とが併合した場合、第２牽引機構は、ロック機構２２のロックを解除することで、二重牽引昇降調節装置２１が解放状態となり、車椅子背板１は、ベッド背板につれて通常要求される背部昇降角度内で同時に昇降する。
【００１９】
車椅子をベッド体から離間させる必要がある場合、車椅子背板１とベッド背板を通常の背部昇降角度より大きい角度上昇させ、第２牽引機構は、二重牽引昇降調節装置２１がロック状態となり、車椅子背板１が略直立の状態で固定されるように、ロック機構２２をロックさせると同時に、車椅子がベッド体の凹溝４から容易に押し出されるように、ベッド背板を通常の背部昇降の最大角度まで落下させる。車椅子が押し出された後、手動制御牽引ハンドル２９により第１ブレーキケーブル２４を牽引し、二重牽引昇降調節装置２１のロックと解放を制御することにより、車椅子背板１の自由昇降を実現する。
【００２０】
本発明の他の実施形態によれば、図２、３に示すように、第２牽引機構は、座板３の下に設けられた支持フレームにより支持されるレバー２を含む。このレバーは、前端がロック機構２２に接触し、後端がベッド体支持フレーム１８に設けられた階段２６にマッチする。車椅子とベッドとが併合した場合、レバー２０の後端が階段２６に置かれることでロック機構２２を解放する一方、車椅子がベッド体から離間した場合、レバーの後端が階段２６から落下し、ロック機構２２をロッカさせる。
【００２１】
本発明の別の実施形態によれば、レバー２０の後端は、弾性復帰可能な一方向湾曲管であってもよい。
【００２２】
本発明の別の実施形態によれば、階段２６は、摺動可能な階段又は固定階段であってもよい。
【００２３】
本発明の別の実施形態によれば、第２牽引機構は、摺動可能な階段に接続された柔軟ワイヤをさらに含む。この柔軟ワイヤは、摺動可能な階段を摺動するように牽引する。
【００２４】
本発明の別の実施形態によれば、図４に示すように、第２牽引機構は、第２ブレーキケーブル３５と、第２ブレーキケーブル３５に接続されたてこ２７とを含んでもよい。てこ２７の支点は、車椅子支持フレーム２の後部、例えば、車椅子の後脚に設けられる。車椅子とベッドとを併合させるときに、てこ２７の一端がベッド体支持フレーム１８の押力を受けて回転することで、第２牽引機構は緊張し、ロック機構２２のロックを解除する。
【００２５】
本発明の別の実施形態によれば、図５に示すように、第２牽引機構は、第２ブレーキケーブル３５と、第２ブレーキケーブル３５に接続されたスライダーとを含んでもよい。前記スライダーは、車椅子支持フレーム２の後部に固定されたスライド溝、例えば、車椅子後脚にあるスライド溝内に位置する。車椅子とベッド体とを併合させるときに、スライダー２８は、ベッド体支持フレーム１８の押力を受けて摺動することで、第２牽引機構は緊張してロック機構２２のロックを解除する。
【００２６】
本発明の別の実施形態によれば、図６に示すように、第１ブレーキケーブル２４と第２ブレーキケーブル３５は、１本の二重制御ブレーキケーブル３６に組み合わせてもよい。
【００２７】
本発明の別の実施形態によれば、介護ベッドは、第２牽引機構のみを含んでもよい。車椅子をベッド体から離間させると、第２牽引機構はロック機構２２をロックさせることにより、二重牽引昇降調節装がロック状態となり、車椅子背板１が固定されて動かない。
【００２８】
本発明が提供する介護ベッドは、前記二重牽引昇降調節装置２１を使用することにより、便利な操作により、車椅子とベッド体とが併合した場合に、車椅子背板１がベッド背板と共に昇降することができる一方、車椅子がベッド体から離間した場合に、車椅子背板１が単独の制御機構により自由昇降又は固定を達成することができる。これによって、病室用ベッド、介護ベッドのベッドと車椅子との離間と併合は非常に便利であり、失能者のベッドと車椅子との間のバリアフリー移動が実現され、老齢化社会での失能老人の介護に対して大きな助けとなる。
【００２９】
本発明の別の実施形態によれば、図７に示すように、本発明が提供する介護ベッドは、スライドリンク３０とロック・解放ピン３１をさらに含む。前記スライドリンク３０は、それぞれ車椅子背板１及び車椅子足昇降支持フレーム３４に接続され、前記車椅子足昇降支持フレーム３４は、足板５及び踏板６の昇降を制御し、より具体的には、前記スライドリンク３０は、車椅子足昇降支持フレーム３４の副力アーム３２に接続され得る。前記ロック・解放ピン３は、スライドリンク３０に設けられ、車椅子がベッド体から離間した場合に、車椅子背板１が足板５、踏板６と連動できるようにスライドリンク３０をロックする。
【００３０】
発明の別の実施形態によれば、図８に示すように、介護ベッドは、座板３の下に設けられた車椅子足昇降駆動機構３３をさらに含む。車椅子足昇降駆動機構３３は、スライドリンク３０に接続され、車椅子が車椅子、寝椅子又はフラットベッドの間を切り替えるようにスライドリンク３０を制御する。
【００３１】
本発明の別の実施形態によれば、図１及び図９に示すように、介護ベッドは、座板３の前部下方に設けられ、車椅子支持フレーム２にヒンジ接続されたブラケット１０と、ブラケット１０の前部に設けられ、踏板６の下方まで延伸し、踏板６の回転角度を制御するホールドフック１１と、ブラケット１０の後部に接続された連動ロッド９と、ベッドの末端に設けられた差し込みピン７と、をさらに含む。
【００３２】
図１０に示すように、本発明が提供する介護ベッドは、車椅子後脚１２の外側に設けられ、幅がベッド体の長さ方向に沿って広くなる傾斜ブロック１３と、ベッド体支持フレーム１８上に設けられ、ベッド体支持フレーム１８により支持され、ベッド体支持フレーム１８の幅方向と同じである横軸１７と、横軸１７に平行であり、水平高さが横軸１７よりもやや低い弾性係止部１４と、弾性係止部１４の後端及び横軸１７に接続された剛性連結ロッド１５と、横軸１７上に設けられた手回しハンドル１９と、横軸上に設けられ、車椅子を押し出すための手回しロッド１６と、をさらに含む。弾性係止部１４は、必要に応じて長さを変化させることができる。弾性係止部１４が伸びた状態である場合、その最大長さは、傾斜ブロック１３に接触するが、車椅子後脚１２に接触しないように設計される。弾性係止部１４が圧縮状態である場合、その最小長さは、ちょうど傾斜ブロック１３の最も広い箇所に接触するか、又は傾斜ブロック１３の最も広い箇所に接触しないように設計される。車椅子とベッド体とが併合した場合、弾性係止部１４と傾斜ブロック１３が互いに係止されることで、車椅子とベッド体とが接合する。車椅子をベッド体から離間させるようとするとき、手回しハンドル１９を回転させることで横軸１７、剛性連結ロッド１５及び弾性係止部１４を同時に回転させ、弾性係止部１４が回転して傾斜ブロック１３から脱離する。同時に、手回しロッド１６を回転させて、車椅子をベッド体の凹溝４から外へ移動するように押し出すことによって、車椅子とベッド体の離間が達成される。車椅子とベッド体とを併合しようとするとき、車椅子を凹溝４内に押すことにより、弾性係止部４が傾斜ブロック１３に接触して圧縮され、車椅子が押し込まれ続けるのにつれて、弾性係止部は、車椅子が完全に凹溝４内に押し込まれるまで傾斜ブロック１３に沿って圧縮され続け、ベッド体に接続する位置に達した後、弾性係止部４は、伸びた状態を回復し、傾斜ブロック１３と係止することによって、車椅子とベッド体の接合が達成される。
【００３３】
本発明が提供する介護ベッドによれば、簡単な操作により、寝たきり患者を車椅子でベッドから押し出したり、ベッドに戻したりすることができ、介護者と被介護者の身体接触が必要とされない。これによって、介護者の労働強度が大幅に下がり、被介護者の快適性が高まる。
【００３４】
当業者に理解され得るように、上記実施形態は、本発明を分かりやすく説明するものに過ぎず、本発明の範囲を限定するものではない。当業者であれば、上記発明に基づいて他の変化又は変形を加えることができ、これらの変化又は変形は、本発明の範囲内に含まれる。
【図１】
2020527430.tif 000003
【図２】
2020527430.tif 000004
【図３】
2020527430.tif 000005
【図４】
2020527430.tif 000006
【図５】
2020527430.tif 000007
【図６】
2020527430.tif 000008
【図７】
2020527430.tif 000009
【図８】
2020527430.tif 000010
【図９】
2020527430.tif 000011
【図１０】
2020527430.tif 000012
【国際調査報告】
2020527430.tif 000013
2020527430.tif 000014
2020527430.tif 000015
2020527430.tif 000016